(57)【要約】      （修正有）【課題】賽銭箱の管理が多少ずさんで放置されていても、賽銭盗難の恐れが無い構造を有する賽銭箱を提供する。【解決手段】仕切り盤ともなる傾斜板を増設し、賽銭箱の内部が簡単に露見できないものとし、集銭箱をロックする方法を従来のように外部に露出した南京錠などによらず、賽銭箱の内部構造として特定の鍵でなければ解錠出来ない構造とする。本賽銭箱は、従来型と異なり投げ入れられた賽銭は、４枚の投げ入れられた賽銭を誘導する傾斜盤４，５，６，７の傾斜によって導かれて内蔵する集銭箱９に収納されるので、内部構造とした錠前を特定の鍵を用いて解錠し、集銭箱を取り出すだけの作業で集銭できるので集金作業が簡単である。【選択図】図２
0003160483.tif 000002
【実用新案登録請求の範囲】
【請求項１】
投入された賽銭を誘導する傾斜板を４枚設けた賽銭箱。
【請求項２】
集銭箱のロック方法を賽銭箱の内部構造とし、特定の鍵を用いなければ解錠出来ない構造を有する賽銭箱。
【考案の詳細な説明】
【技術分野】
【０００１】  神社仏閣における賽銭箱はしばしば賽銭泥棒によって盗難に遭うことが多く、本考案はかくなる不合理を無くすための荒らされない賽銭箱に関するものである。
【考案の開示】
【考案が解決しようとする課題】
【０００２】  本来、神社仏閣における賽銭は、神聖な意味を有する浄財であって犯すことのできない領域にありながら、不埒な者の横行によって各所で盗難が発生する。【０００３】  通常、賽銭箱は常時に見張ったりして厳重な管理を行うことが難しく、いつもオープンな形で一日１回の集銭を行うぐらいが常習的であり、ときに何日も集銭を行わないこともあって極めて管理がずさんな場合が多い。【０００４】  従って、賽銭箱の管理が多少ずさんで放置されていても、賽銭盗難の恐れが無い構造を有する賽銭箱が求められている。
【課題を解決するための手段】
【０００５】  本考案は、賽銭箱の中が覗ける構造を排除して、賽銭箱の中に四重の傾斜盤を設け、上から覗いても見えないことを重視するとともに、集銭を簡潔にできる構造とする。【０００６】  いわゆる、賽銭箱は神社仏閣の参拝者が礼拝と同時に賽銭を投じ、賽銭箱に入った賽銭は角度や取り付け方が異なる傾斜盤に導かれて集銭箱に収納される仕組みとする。【０００７】  すなはち、通常は賽銭箱の上部に交互に向いた傾斜盤を二枚設け、投げ入れられた賽銭を賽銭箱の底部に導くだけの簡単な構造であり容易に内部が露見されるものが多い。本考案は更に角度を変えて二枚の斜向盤を追加添設して容易に内部が覗けない構造とする。【０００８】  従って、従来は賽銭箱の底部全般に賽銭がばら撒かれるように散乱して、集金の際は手箒などで賽銭等を掃き集められていたものが、本考案では賽銭を四枚の傾斜盤の傾斜に導かれて所定の集銭箱に収納ができ集銭が簡単にできることとする。【０００９】  本考案の賽銭箱は、以上の構造と機能を有し集銭箱のロック錠を内部構造として、前述の課題を解決するための手段とする。
【考案の効果】
【００１０】  本考案の賽銭箱を用いることにより、集銭箱の内部が露見しないので不埒な者の出来心を制し、賽銭箱荒らしが不可能となるので盗難事故を完全に防止することができる。【００１１】  本考案の賽銭箱は床に固定できる構造であり、簡単に持ち去ることが不可能なため、賽銭箱を人目につかない場所まで運んで壊し、内部の賽銭を取得するような行為を防ぐことができる。【００１２】  本考案の賽銭箱は、従来型と異なり投げ入れられた賽銭は、４枚の傾斜盤の傾斜によって導かれて内蔵する集銭箱に収納されるので、内部構造とした錠前を特定の鍵を用いて解錠し、集銭箱を取り出すだけの作業で集銭できるので集金作業が簡単である。
【考案を実施するための最良の状態】
【００１３】  本考案の賽銭箱は、従来の賽銭箱と異なり傾斜盤を四枚セットすることにより、内部を覗いても蓄積した賽銭が視認できないので、出来心などによる悪戯半分の盗難をはじめ、賽銭泥棒による道具等を用いた本格的な泥棒行為も排除できることとする。
【００１４】（公序良俗違反につき、不掲載）
【００１５】  また、集銭箱を賽銭箱にセットする方法は、特定の方法でロックされ錠前を賽銭箱の内部構造とすることにより、簡単に鍵を壊して集銭箱を取り出すこともできなくなり、集銭箱は集銭作業の際に特定の鍵によって解錠し取り出せる構造とする。
【００１６】  更に、賽銭箱本体は固定手段によって床に固定する構造とするため、容易に賽銭箱を集銭箱ごと持ち去ることも不可能となるので、他所に運んでの窃盗も不可能となる。
【実施例】  以下、本考案による実施例を図面に基づいて説明する。【００１７】  通常の賽銭箱本体１は、図１の如く賽銭投入口２に格子状の桟３の下方に傾斜盤４および５が交互に向って備えられており、賽銭箱１に投げ入れられた賽銭は、格子状の桟３を通過して傾斜盤４または５の上に落下し、傾斜盤の傾斜に誘導された賽銭は賽銭箱本体１の底部８に蓄積される仕組みが至極一般的である。【００１８】  本考案は、図２に示す如く賽銭箱本体１の構造物である傾斜盤４および５の下方に、取り付け角度と方向が異なる傾斜盤６および７（一点鎖線で示した部分）を添設する。【００１９】  更に、傾斜盤７の先端に位置する部位に集銭箱８を設けて、傾斜盤４と５に誘導され傾斜盤６と７に落下した賽銭は６と７の傾斜に誘導されて自動的に収納できる仕組みとする。【００２０】  集銭箱９は、賽銭箱本体１の内部構造とした錠前１０によって賽銭箱本体１にロックされており、特定の鍵を用いなければ解錠して取り出すことが出来ないこととする。【００２１】  図２における１１は、賽銭箱本体を所定場所の床に固定する際のボルト穴であり、これを利用して床にボルトで固定できることとする。
【産業上の利用可能性】
【００２２】  一般の神社仏閣において、賽銭箱荒らしによる盗難事件は頻発しており、対策に苦慮している状況を考えれば、信者による折角の浄財は何者にも犯せないものである。【００２３】  しからば、従来の賽銭箱の構造に一考を施し、荒らすことのできない賽銭箱の開発が必要である。本考案の賽銭箱は問題を解決するための要件を備えており、産業上利用の可能性が非常に高いものである。【００２４】  従って、大きな需要も見込まれるものであり、本考案の賽銭箱は普及性に富んでいる。【００２５】  本考案の賽銭箱は、構造上犯罪防止に大きく役立つものであってその筋において必要かつ実用性に富んでいる。
【図面の簡単な説明】
【００２６】  図１は、賽銭箱の一般的な構造を説明する透視写視図。【００２７】  図２は、本考案の構造を説明する透視写視図。
【符号の説明】
【００２８】１．  賽銭箱の本体。
２．  賽銭投入口。
３．  賽銭投入口の格子状の桟。
４．５．６．７．  投げ入れられた賽銭を誘導する傾斜盤。
８．  賽銭箱の底部。
９．  集銭箱。
１０．内部構造とする錠前。
１１．賽銭箱本体を床に固定するためのボルト穴。
【図１】
0003160483.tif 000003
【図２】
0003160483.tif 000004
【手続補正書】
【提出日】平成22年2月15日(2010.2.15)
【手続補正１】
【補正対象書類名】実用新案登録請求の範囲
【補正対象項目名】全文
【補正方法】変更
【補正の内容】
【実用新案登録請求の範囲】
【請求項１】
賽銭箱に投入された賽銭を誘導する傾斜盤を、賽銭箱を覗いても内部が見えないように互い違いに四重に設けた賽銭箱。
【請求項２】
賽銭箱における集銭箱のロック方法を、賽銭箱の下部に集銭箱を差し込んだ状態で錠前によりロックされる内部構造とし、特定の鍵を用いて錠前を解錠することにより集銭箱を取り出せる構造を有する賽銭箱。
【手続補正２】
【補正対象書類名】明細書
【補正対象項目名】００１４
【補正方法】変更
【補正の内容】
【００１４】  すなはち、賽銭泥棒により賽銭箱の内部が視認できないので、悪質な泥棒行為ができなくなる。
【手続補正３】
【補正対象書類名】明細書
【補正対象項目名】００２６
【補正方法】変更
【補正の内容】
【００２６】
【図１】は、賽銭箱の一般的な構造を説明する透視斜視図。
【手続補正４】
【補正対象書類名】明細書
【補正対象項目名】００２７
【補正方法】変更
【補正の内容】
【００２７】
【図２】は、本考案の賽銭箱の構造を説明する透視斜視図。
【手続補正書】
【提出日】平成22年4月12日(2010.4.12)
【手続補正１】
【補正対象書類名】実用新案登録請求の範囲
【補正対象項目名】全文
【補正方法】変更
【補正の内容】
【実用新案登録請求の範囲】
【請求項１】
賽銭箱に投入された賽銭を誘導する傾斜盤を、賽銭箱を覗いても内部が見えないように互い違いに四重に設け、付随する集銭箱を脱着する際の錠前を内部構造とした賽銭箱。